(57)【要約】【課題】本願発明は乗客を輸送する輸送車両に搭載され、乗車しようとする人物に行き先を容易に視認させる表示システムを提供する。【解決手段】乗客を輸送する輸送車両に搭載され、光を照射する光源と、前記光源の照射光で文字を形成する文字形成手段と、前記文字形成手段で形成された文字を投影する投影手段とを備え、前記輸送車両のドアの開閉に連動して、前記文字形成手段により形成された前記輸送車両の行き先を、前記ドアの近傍に投影する表示システムを提供する。ドアから乗り込む乗客に視認しやすい位置に輸送車両の行き先を表示して、行き先を認識させて乗り間違いを防止する。【選択図】図１
2020118763.tif 000002
【特許請求の範囲】
【請求項１】
乗客を輸送する輸送車両に搭載され、
光を照射する光源と、
前記光源の照射光で文字を形成する文字形成手段と、
前記文字形成手段で形成された文字を投影する投影手段と、
を備え、
前記輸送車両のドアの開閉に連動して、前記文字形成手段により形成された前記輸送車両の行き先を、前記ドアの近傍に投影する、
ことを特徴とした表示システム。
【請求項２】
前記ドア開時に動作して、前記ドアから乗り込む乗客に正対する位置、または前記ドアの近傍の床面に、前記行き先を投影する、
ことを特徴とする請求項１に記載の表示システム。
【請求項３】
人や物体の接近を感知する赤外線センサを備えるよう構成され、
前記赤外線センサにより、前記ドア付近に人や物体が近づいたときのみ動作する、
ことを特徴とする請求項１または請求項２に記載の表示システム。
【請求項４】
照度センサを備えるよう構成され、
前記照度センサにより、所定値以下の照度が検出されたときのみ動作する、
ことを特徴とする請求項１〜請求項３に記載の表示システム。
【請求項５】
前記文字形成手段は、出射した光を走査することにより前方に所望の図形を形成可能な図形描画ユニットである、
ことを特徴とする請求項１〜請求項４に記載の表示システム。
【請求項６】
前記光源、前記文字形成手段、及び前記投影手段をそれぞれ複数個備え、複数箇所に同時に前記文字形成手段で形成された文字を投影すること、または選択された表示箇所にのみ前記文字形成手段で形成された文字を投影することが可能であり、前記文字形成手段で形成され投影される文字のうちの少なくとも一つは前記輸送車両の行き先である、
ことを特徴とする請求項１〜請求項５に記載の表示システム。
【発明の詳細な説明】
【技術分野】
【０００１】
本願発明は乗客を輸送する輸送車両に搭載され、行き先を表示する表示システムに関する。
【背景技術】
【０００２】
従来、長距離バスや夜行バスなどは、特許文献１のように車両の正面に行き先を表示している。
【先行技術文献】
【特許文献】
【０００３】
【特許文献１】特開２００１−１２５５１６号
【発明の概要】
【発明が解決しようとする課題】
【０００４】
しかし、常時行き先を表示していても、例えば夜間の暗い中での表示は視認しづらく、似たようなバスの並ぶパーキングエリアでは、休憩のために降車した乗客が自分の乗るべきバスを間違える事態がたびたび発生して問題となっていた。
【０００５】
本件は、このような事情を鑑みてなされたものであり、乗車しようとする人物に行き先を容易に視認させる表示システムを提供する。
【課題を解決するための手段】
【０００６】
上記問題を解決するため、本開示のある態様では、乗客を輸送する輸送車両に搭載され、光を照射する光源と、前記光源の照射光で文字を形成する文字形成手段と、前記文字形成手段で形成された文字を投影する投影手段とを備え、前記輸送車両のドアの開閉に連動して、前記文字形成手段により形成された前記輸送車両の行き先を、前記ドアの近傍に投影する表示システムを提供する。開かれたドアから乗り込む乗客に視認しやすい位置に行き先が投影され、乗客は行き先を認識でき、乗り間違いを防止できる。
【０００７】
またある態様では、前記ドア開時にのみ動作して、前記ドアから乗り込む乗客に正対する位置、または前記ドアの近傍の床面に、前記行き先を投影するよう構成した。乗り込む乗客に視認されやすい位置に行き先が投影される。
【０００８】
またある態様では、人や物体の接近を感知する赤外線センサを備えるよう構成され、前記赤外線センサにより、前記ドア付近に人や物体が近づいたときのみ動作するよう構成した。乗客が近づいたときのみ行き先を投影し、既に乗り込んでいる乗客の眩しさを防止できる。
【０００９】
またある態様では、照度センサを備えるよう構成され、前記照度センサにより、所定値以下の照度が検出されたときのみ動作するよう構成した。暗く視界の悪い状態で乗り込む乗客に行き先を視認させることができる。
【００１０】
またある態様では、前記文字形成手段は、出射した光を走査することにより前方に所望の図形を形成可能な図形描画ユニットであるよう構成した。定められた文字だけでなく、自由に文字を形成でき、提供できる情報を増やすことや、文字が動いて表示させることもでき、乗客が認識しやすい表示が可能となる。
【００１１】
またある態様では、前記光源、前記文字形成手段、及び前記投影手段をそれぞれ複数個備え、複数箇所に同時に前記文字形成手段で形成した文字を投影すること、または選択された表示箇所にのみ前記文字形成手段で形成された文字を投影することが可能であり、前記文字形成手段で形成して投影される文字のうち少なくとも一つは前記輸送車両の行き先であるよう構成した。複数箇所に表示されることで、より行き先を認識しやすく、さらに有用な情報も提供できる。
【発明の効果】
【００１２】
以上の説明から明らかなように、本発明によれば、乗車しようとする人物に行き先を容易に視認させる表示システムを提供できる。
【図面の簡単な説明】
【００１３】
【図１】本発明の実施の形態に係る表示システムの概略を示す図である。
【図２】第１の実施形態に係る表示システムのブロック図である。
【図３】同表示システムの投影機の断面図である。
【図４】同表示システムの文字盤である。
【図５】同表示システムの投影場所を説明するための説明図である。
【図６】第２の実施形態に係る表示システムのブロック図である。
【図７】同表示システムの投影機の断面図である。
【図８】同表示システムの走査機構の斜視図である。
【発明を実施するための形態】
【００１４】
以下、本発明の好適な実施形態を、図面を参照しながら説明する。実施の形態は、発明を限定するものではなく例示であって、実施の形態に記述されるすべての特徴やその組み合わせは、必ずしも発明の本質的なものであるとは限らない。
【００１５】
（表示システムの概略）
図１は、第１の実施形態に係る表示システム１の概略を示す図である。表示システム１は、長距離バスや路線バスなど、予め定められた特定の目的地まで乗客を輸送する輸送車両Ｂに備えられる。
【００１６】
表示システム１は光によって形成された文字を投影可能な投影機１０を有し、投影機１０によって輸送車両Ｂの行き先を出入り口に設けられたステップ２の床面等のドア３の近傍に投影して、開かれたドア３から乗り込む乗客に輸送車両Ｂの行き先を知らせる。
【００１７】
（第１の実施形態）
図２は第１の実施形態に係る表示システム１のブロック図である。表示システム１は、ドア３開閉の命令を入力するスイッチ等の入力部７、入力部７からの命令により駆動してドア３を開閉させるドアモータ６、光源１１を有する投影機１０を備える。投影機１０はドアモータ６への信号を自身も受信して動作し、ドア３への開閉に連動して光源１１を点消灯させる。具体的には、ドライバーが入力部７にドア３を開ける命令を入力すると、光源１１が点灯を開始し、光源１１の照射光によって形成された行き先が投影され、ドライバーがドア３を閉じる命令を入力すると、光源１１が点灯を停止し、投影されていた行き先は消える。行き先の投影をドア３の開閉と連動させることでドライバーによる行き先の表示／消灯忘れも防止され、行き先の認知が必要である、開かれたドア３から乗り込む乗客に、確実に行き先の情報を提供することができる。
【００１８】
図３は、投影機１０の縦断面図である。投影機１０は内筒１２と外筒１３を備えた二重構造の筐体１８を有し、内筒１２の外面に設けられた雄ネジ１２ａ、及び外筒１３の内面に設けられた雌ネジ１３ａにより、軸方向に伸縮可能である。
【００１９】
筐体１８は上面を内側に光源１１を有する上蓋１５に、下面を投影レンズ１７に覆われている。内筒１２には軸方向に直交してスリット１２ｂが設けられており、このスリット１２ｂには照射光により文字を形成する機能を備える文字盤１４が挿し込まれている。
【００２０】
光源１１は白色光ＬＥＤであるが、電球やレーザーなど一般的に使用されている光源も使用可能である。光源１１の発光面を覆うように配置された集光レンズ１６は、光源１１の照射光を集光するためのものである。光源１１、集光レンズ１６、文字盤１４、投影レンズ１７が、この順序で筐体１８内に軸方向に並んで配置されている。光源１１からの照射光は、集光レンズ１６により集光して平行光として前方（図３下方向）に照射され、一部が文字盤１４を透過して文字として形成され、投影レンズ１７を介して前方に投影される。
【００２１】
図４に示すように、文字盤１４はアクリル材等の透明樹脂板に文字部１４ａだけマスクをかけて黒色蒸着や黒色塗装を施す、または黒色樹脂材を用いて文字部１４aだけ型抜きして射出成形する、あるいは黒厚紙を文字部１４ａだけ切り取る等して形成され、筐体１８内に挿し込まれる領域に、光を透過する性質を備える文字部１４ａを有する。文字部１４ａ以外のベース部１４ｂは黒色に限られないが、アウトラインが明確で視認し易い文字を形成するために、光を吸収する部材や表面塗料を用いることが好ましい。文字盤１４は入射した光のうち文字部１４ａだけ光を透過させることで文字を形成する。光漏れから文字の視認性が下がるのを防止するため、筐体１８のスリット１２ｂ部分は、内部も含めて文字盤１４で隙間なく覆われることが好ましい。
【００２２】
筐体１８は螺合により軸方向に長さを伸縮でき、投影機１０から文字が投影される場所までの距離に応じて外筒１３を回して焦点を合わせることで、投影される文字が明瞭となるように調整することができる。
【００２３】
文字盤１４は簡単に抜差しできるため、文字部１４ａの異なる複数の文字盤１４を用意し、投影機１０に挿し込む文字盤１４を入れ替えることで簡単に行き先の表示を変更することができる。
【００２４】
図５に示すように、投影機１０は輸送車両Ｂの天井や、ドア３（図５では図示せず）近傍の車両側面、あるいはステップ２の側面５（図１参照）等に取付けられ、開かれたドア３から乗り込む乗客Ｐに正対する壁４（例えば路線バスの料金箱や長距離バスの運転手席の扉等）や、ステップ２の床面等、輸送車両Ｂに乗車しようとする乗客Ｐが視認し易い場所に行き先を投影し、乗客Ｐに行き先を認識させて乗り間違いを防止する。
【００２５】
投影機１０が複数箇所に設けられ、同時に複数箇所、あるいは選択された箇所にのみ行き先を投影するよう構成してもよい。夜行バスなどの長距離を往復する輸送車両に、行きの目的地を示す文字盤１４をセットした投影機１０と、帰りの目的地を示す文字盤１４をセットした投影機１０の両方を設置し、行きと帰りで動作する投影機が入れ替わるよう構成してもよい。
【００２６】
（第２の実施形態）
図６は第２の実施形態に係る表示システム１０１のブロック図である。表示システム１０１は、入力部７、ドア３を開閉させるドアモータ６、照度センサ１８０、赤外線センサ１９０、車両ＥＣＵ１３０、投影機１１０を備える。
【００２７】
照度センサ１８０は周囲の照度を計測するセンサであり、赤外線センサ１９０は人や物の接近を感知するセンサである。赤外線センサ１９０はドア３近傍に設置され、ドア３から乗り込む乗客を感知する。第１の実施形態同様、入力部７はドア３開閉スイッチであり、入力された開閉信号は車両ＥＣＵ１３０に入力される。車両ＥＣＵ１３０は入力部１０７から信号を受け、ドアモータ６を作動させるとともに、照度センサ１８０や赤外線センサ１９０から入力された信号を加味して、投影機１１０を動作させるか否かを判断する。具体的には、夜間またはトンネル内や建物内等の場所に停車して所定値以下の照度を感知したときや、赤外線センサ１９０により輸送車両Ｂへ乗り込もうとする乗客を感知したときにのみ投影機１１０を動作させる。
【００２８】
夜間のパーキングエリアなどでは、降車する乗客以外は睡眠中であることが多く、眩しい光は敬遠されるが、夜間であるため乗り間違いも多いことから、乗客が近づいてきたときだけ行き先を表示させることや、日中であっても建物内や悪天候時では比較的暗く、輸送車両Ｂの前面に行き先が表示されていても視認しにくいため、投影機１１０で行き先の投影を行うなど、状況に応じて投影機１１０を作動させることができる。
【００２９】
投影機１１０は、光源１７０と走査機構１４０、及びこの両者を制御する投影機制御部１６０を備える。車両ＥＣＵ１３０は上記状況に応じて投影機制御部１６０に命令信号を送り、投影機１１０を動作させる。投影機１１０は、光源１７０から出射した光を走査機構１４０により走査させることで、所望の描画パターンを形成することができる。
【００３０】
図７は投影機１１０の断面図である。底面が開口した筐体１１８の内部に、光源１７０、投影機制御部１６０、および走査機構１４０が配置され、開口部を投影レンズ１１７が覆っている。
【００３１】
光源１７０はレーザーダイオードであり、光源１７０からの出射光は集光レンズにより集光して平行光として走査機構１４０に入射する。
【００３２】
図８は、走査機構１４０の斜視図である。本実施形態では、一例としてＭＥＭＳ（Micro  Electro  Mechanical  Systems）ミラーを採用している。走査機構１４０は、２軸方向に傾動可能な反射鏡を有するスキャンデバイスである。
【００３３】
走査機構１４０は、ベース１５７、第１回動体１５８、第２回動体１５９、第１トーションバー１５０、第２トーションバー１５１、一対の第１永久磁石１５２、一対の第２永久磁石１５３、および端子部１５４を有する。第２回動体１５９は、板状に形成された反射鏡であり、第２回動体１５９の前面には、銀蒸着やスパッタリング処理などによって反射面１５６が形成される。
【００３４】
板状の第１回動体１５８は、第１トーションバー１５０によって左右（Ｙ軸周り）に回動可能に支持されて、第２回動体１５９は、一対の第２トーションバー１５１によって上下（Ｘ軸周り）に回動可能な状態で第１回動体１５８に支持される。一対の第１永久磁石１５２及び一対の第２永久磁石１５３は、ベース１５７において一対の第１及び第２トーションバー（１５０、１５１）の延びる方向にそれぞれ設けられる。一対の第１及び第２回動体（１５８、１５９）にはそれぞれ端子部１５４を介して通電される第１及び第２のコイル（図示せず）が設けられている。不図示の第１及び第２のコイルは、投影機制御部１６０によってそれぞれ独立した電通制御をされる。
【００３５】
第１回動体１５８は、第１コイル（図示せず）への通電オン又は通電オフに基づいて第１トーションバーの軸線（Ｙ線）回りに往復傾動し、第２回動体１５９は、第２コイル（図示せず）への通電のオン又は通電オフに基づいて第２トーションバー１５１の軸線（Ｘ軸）回りに往復傾動する。反射面１５６は、第１又は第２コイル（図示せず）への電通に基づいて上下左右に傾動して光源１７０からの入射光を反射させる。
【００３６】
本実施形態では一例としてＭＥＭＳミラーを採用しているが、走査機構１４０には、ガルバノミラーや、光源からの光を反射しながら回転軸を中心に一方向に回転する回転リフレクタ（特開２０１６−１９５１２９）など、多彩な公知走査機構を採用できる。
【００３７】
投影機制御部１６０は、光源１７０の出力、走査機構１４０の各コイルの通電を制御する。
【００３８】
光源１７０と走査機構１４０は、光源１７０から出射された光が反射面１５６で反射され投影レンズ１１７に入射可能な位置に配置されている。走査機構１４０は、反射面１５６往復運動により、光で投影レンズ１１７の入射面を走査する。走査された光は、投影レンズ１１７を介して、所望の投影場所に描画パターンとして照射される。
【００３９】
なお、投影機制御部１６０は、走査機構１４０による光での走査に合わせて、光源１７０の光の出射を制御してもよい。例えば、走査機構１４０は、反射面１５６の回動位置が、形成すべき描画パターンに係る領域よりも広い範囲で反射面１５６を回動させる。そして、投影機制御部１６０は、反射面１５６の回動位置が、形成すべき描画パターンに係る領域と対応する位置にあるとき光源１７０を点灯させる。このような制御によっても、所望の描画パターンを形成することができる。
【００４０】
走査機構１４０を用いることで、文字だけに限らず所望の描画パターンを所定の場所に投影することができる。これにより、行き先のみならず「目的地天気：雨（傘マーク）」「事故渋滞、遅延の可能性有」など乗客へ有用な情報提供や、「足元注意」などの注意喚起を行うことができる。描画パターンを経時変化させることにより動的な表現も可能で、「東京経由、新宿行き」「２２時３０分発／大阪駅直行」等、文字が右から左へ流れるように投影することで、より詳しい情報をより注意を引く形で視認させることができる。
【００４１】
また本実施形態では入力部７より入力された開閉命令に連動して投影機１１０を作動させたが、ドア３の開閉を検知するセンサを取付け、このセンサから得た情報からドア３が開いたと判断して投影機１１０を作動させるよう構成しても良い。これによりドア３が自動で開かれる大型輸送車両だけでなく、ドア３を手動で開く小〜中型の輸送車両にも対応できる。
【００４２】
以上、本発明の好ましい実施形態や変形例について述べたが、上記の実施形態は本発明の一例であり、これらを当業者の知識に基づいて組み合わせることが可能であり、そのような形態も本発明の範囲に含まれる。
【符号の説明】
【００４３】
１、１０１  表示システム
２  ステップ
３  ドア
４  壁
５  側面
１０  投影機
１１  光源
１４  文字盤
１７、１１７  投影レンズ
１４０  走査機構
１７０  光源
１８０  照度センサ
１９０  赤外線センサ
Ｂ  輸送車両
Ｐ  乗客
【図１】
2020118763.tif 000003
【図２】
2020118763.tif 000004
【図３】
2020118763.tif 000005
【図４】
2020118763.tif 000006
【図５】
2020118763.tif 000007
【図６】
2020118763.tif 000008
【図７】
2020118763.tif 000009
【図８】
2020118763.tif 000010